(57)【特許請求の範囲】
【請求項１】
硝酸セリウム(IV)アンモニウムの水溶液に、９５℃以下８５℃以上の温度で種晶として粒子径１００μｍ〜１０００μｍの硝酸セリウム(IV)アンモニウムの結晶を加えた後、該水溶液を平均冷却速度２５℃／時間以下で３０℃以下まで冷却して、硝酸セリウム(IV)アンモニウムの結晶を析出させる硝酸セリウム(IV)アンモニウムの製造方法であって、種晶を加えた後、５０℃以上９０℃以下で±５℃の温度範囲に３０分以上保持し、次いで３０℃以下に冷却することを特徴とする硝酸セリウム(IV)アンモニウムの製造方法。
【請求項２】
硝酸セリウム(IV)アンモニウムの水溶液を、酸化セリウム(IV)水和物または水酸化セリウム(IV)を硝酸水溶液に溶解させたのち硝酸アンモニウムと混合して得る請求項１に記載の製造方法。
【請求項３】
硝酸アンモニウムとして硝酸アンモニウム水溶液を用いる請求項２に記載の製造方法。
【請求項４】
硝酸水溶液を、硝酸が酸化セリウム(IV)水和物または水酸化セリウム(IV)１モルあたり４モル以上２０モル以下となるように使用する請求項２または請求項３に記載の製造方法。
【発明の詳細な説明】
【０００１】
【発明の属する技術分野】
本発明は、硝酸セリウム(IV)アンモニウムの製造方法に関する。
【０００２】
【従来の技術】
硝酸セリウム(IV)アンモニウムは、式（Ｉ）
0004742422.tif 000002
で示される化合物であって、酸化剤として有用な化合物である。
【０００３】
かかる硝酸セリウム(IV)アンモニウムの製造方法としては、酸化セリウム(IV)水和物〔Ce(IV)O2・2H2O〕または水酸化セリウム(IV)〔Ce(IV)(OH)4〕を硝酸水溶液に溶解させた後、硝酸アンモニウム〔NH4NO3〕と混合する方法が知られており、混合後の混合物をそのまま冷却することで、硝酸セリウム(IV)アンモニウムの結晶を得ることができる（特開平３−１５３５２０号公報）。
【０００４】
しかし、かかる従来の製造方法で得られる硝酸セリウム(IV)アンモニウムは、粒子径の小さい結晶を多く含むものであった。硝酸セリウム(IV)アンモニウムの結晶に含まれる粒子径の小さい結晶の割合が多くなると、含水率が高くなり易くなるなど、その取り扱いが不便となる。
【０００５】
【発明が解決しようとする課題】
そこで、本発明者は、粒子径の小さい結晶の割合が少ない硝酸セリウム(IV)アンモニウムの製造方法を開発するべく鋭意検討した結果、硝酸セリウム(IV)アンモニウムの水溶液に種晶を加える際の温度を該水溶液の飽和温度（Ｔ1）よりも１０℃低い温度（Ｔ1−１０℃）またはこれ以上の温度とし、該水溶液を所定の速度以下の冷却速度で冷却することによって得られる硝酸セリウム(IV)アンモニウムの結晶は、粒子径の小さいものの割合が少ないことを見出し、本発明に至った。
【０００６】
【課題を解決するための手段】
すなわち本発明は、過飽和状態にある硝酸セリウム(IV)アンモニウムの水溶液に、硝酸セリウム(IV)アンモニウムの飽和温度（Ｔ1）以下（Ｔ1−１０℃）以上の温度で種晶を加えた後、該水溶液を平均冷却速度２５℃／時間以下で３０℃以下まで冷却して、硝酸セリウム(IV)アンモニウムの結晶を析出させることを特徴とする硝酸セリウム(IV)アンモニウムの製造方法を提供するものである。
【０００７】
【発明の実施の形態】
本発明の製造方法に適用される硝酸セリウム(IV)アンモニウムの水溶液は、例えば酸化セリウム(IV)水和物または水酸化セリウム(IV)を硝酸水溶液に溶解させたのち硝酸アンモニウムと混合して得ることができる。
【０００８】
酸化セリウム(IV)水和物、水酸化セリウム(IV)はそれぞれ単独で用いられてもよいし、酸化セリウム(IV)水和物と水酸化セリウム(IV)とを混合して用いられてもよい。酸化セリウム(IV)水和物、水酸化セリウム(IV)は通常、水を含んだ状態で取り扱われているが、酸化セリウム(IV)水和物、水酸化セリウム(IV)は水を含んだ状態であってもよい。酸化セリウム(IV)水和物、水酸化セリウム(IV)は、１００ｇあたりの金属成分（セリウムを除く）が１ｇ以下、さらには０．７ｇ以下であることが、得られる硝酸セリウム(IV)アンモニウムの結晶の純度を高くし得る点で、好ましい。
【０００９】
硝酸水溶液としては、硝酸セリウム(IV)アンモニウムの収率の点で、水溶液１００ｇあたりの硝酸（HNO3）の含有量が５５ｇ以上、さらには６０ｇ以上であるものが好ましく用いられ、通常は８５ｇ以下である。硝酸水溶液として濃硝酸（１００ｇ中に硝酸を９８ｇ以上含有する水溶液）を水で希釈して用いる場合、希釈に用いる水は、不純物の少ない水であることが好ましく、例えばイオン交換水、超純水などが用いられる。
【００１０】
硝酸水溶液は、硝酸水溶液１ｋｇあたりの金属成分が１０００ｍｇ以下、さらには１００ｍｇ以下であることが好ましく、理想的には０である。
【００１１】
硝酸水溶液は、亜硝酸、一酸化窒素などのようなセリウム(IV)イオンを還元し得る成分が少ないものが好ましく用いられる。具体的には、硝酸水溶液１００ｇあたり亜硝酸および一酸化窒素の合計含有量が通常１ｇ以下であるものが用いられ、０．５ｇ以下、さらには０．１ｇ以下であるものが好ましく用いられ、理想的には０である。硝酸水溶液に含まれる亜硝酸および一酸化窒素の合計量が１ｇを越える場合には、用いる酸化セリウム(IV)水和物または水酸化セリウム(IV)や、硝酸との反応によって生成する硝酸セリウム(IV)がこれら亜硝酸、一酸化窒素などによって還元されてしまい、得られる硝酸セリウム(IV)アンモニウムの純度が低くなる。硝酸水溶液に含まれる亜硝酸、一酸化窒素などは、例えば窒素ガスなどの不活性ガス、空気などをバブリングすることによって容易に除去することができる。
【００１２】
硝酸水溶液は、酸化セリウム(IV)水和物または水酸化セリウム(IV)１モルあたり硝酸（HNO3）が通常４モル以上、好ましくは７モル以上、さらに好ましくは１０モル以上、通常２０モル以下、好ましくは１５モル以下となるように使用される。硝酸が４モル以上であると硝酸セリウム(IV)アンモニウムに含まれる粒子径の小さい結晶の割合がより少なくなるが、２０モルを越えると容積効率の点で不利である。
【００１３】
酸化セリウム(IV)水和物または水酸化セリウム(IV)を硝酸水溶液に溶解させるには、例えば硝酸水溶液と酸化セリウム(IV)水和物または水酸化セリウム(IV)とを混合すればよく、具体的には硝酸水溶液に酸化セリウム(IV)水和物または水酸化セリウム(IV)を加えればよい。混合後、攪拌することにより、酸化セリウム(IV)水和物または水酸化セリウム(IV)を硝酸水溶液に溶解させることができる。速やかに溶解させるためには、例えば９０℃以上で混合することが好ましい。
【００１４】
酸化セリウム(IV)水和物または水酸化セリウム(IV)を硝酸水溶液に溶解させたのち、フィルターで濾過してもよい。フィルターで濾過することにより、不溶分を除去できて、得られる硝酸セリウム(IV)アンモニウムの純度を向上させることができる。フィルターとしては、例えば目開きが１μｍ以下であるフィルターが用いられる。
【００１５】
酸化セリウム(IV)水和物または水酸化セリウム(IV)を硝酸水溶液に溶解したのち、硝酸アンモニウムと混合する。混合するには、例えば酸化セリウム(IV)水和物または水酸化セリウム(IV)を硝酸水溶液に溶解した後の水溶液に、硝酸アンモニウムを加えればよい。
【００１６】
硝酸アンモニウムは、固形物であってもよいが、あらかじめ水、硝酸水溶液などに溶解した水溶液であることが、硝酸セリウム(IV)アンモニウムの結晶に含まれる粒子径の小さい結晶の割合がより少なくなる点で好ましい。また、硝酸アンモニウム１００ｇあたりの金属成分が１ｇ以下、さらには０．８ｇ以下であることが、得られる硝酸セリウム(IV)アンモニウムの結晶の純度を高め得る点で、好ましい。
【００１７】
硝酸アンモニウムの水溶液を用いる場合、該水溶液はフィルターで濾過された後に用いられてもよい。フィルターで濾過することにより、硝酸アンモニウムに含まれる不純物を除去して、より純度の高い硝酸セリウム(IV)アンモニウムを得ることができる。フィルターとしては、例えば目開きが１μｍ以下であるフィルターが用いられる。
【００１８】
硝酸アンモニウムの使用量は、先に使用した酸化セリウム(IV)水和物または水酸化セリウム(IV)１モルあたり通常２モル倍以上であるが、混合した後の硝酸セリウム(IV)アンモニウムの水溶液における硝酸と水との合計量１００ｇに含まれる硝酸（HNO3）が４０ｇ以上７０ｇ以下となるように調整されることが好ましい。硝酸アンモニウムとしてその水溶液を用いる場合、混合した後の硝酸セリウム(IV)アンモニウムの水溶液に含まれる硝酸を上記範囲とするためには、通常は、硝酸アンモニウム水溶液における硝酸アンモニウムの使用量、水の使用量を適宜選択すればよい。また、硝酸アンモニウムを固形物のまま用いる場合には、酸化セリウム(IV)水和物または水酸化セリウム(IV)を硝酸水溶液に溶解した後の硝酸の濃度を、硝酸アンモニウムと混合した後の硝酸の濃度が上記範囲となるように、適宜調整すればよい。
【００１９】
硝酸アンモニウムと混合する際の温度は、混合時やその後に硝酸セリウム(IV)アンモニウムが析出しない温度とすることが好ましく、例えば９０℃以上で混合することが好ましい。また、混合時やその後に硝酸セリウム(IV)アンモニウムが析出した場合には、加熱して、析出した硝酸セリウム(IV)アンモニウムを完全に溶解させてもよい。
【００２０】
本発明の製造方法では、硝酸セリウム(IV)アンモニウムの水溶液に種晶を加える。種晶を加える際の水溶液の温度は、硝酸セリウム(IV)アンモニウムの飽和温度（Ｔ1）以下である。Ｔ1を越える温度では、加えた種晶が溶解してしまう場合がある。また、種晶を加える際の水溶液の温度は（Ｔ1−１０℃）以上の温度である。（Ｔ1−１０℃）未満の温度では、粒子径の小さい結晶の割合が多くなる傾向にある。種晶を加える際の温度として具体的には、硝酸セリウム(IV)アンモニウムの濃度、硝酸の濃度、硝酸アンモニウムの濃度などによって異なるが、例えば８０℃以上１００℃以下程度である。
【００２１】
飽和温度は、水溶液の硝酸セリウム(IV)アンモニウム濃度が飽和となる温度であって、例えば該水溶液に加えた少量の硝酸セリウム(IV)アンモニウムの結晶が溶解しない温度の上限として求めることができる。
【００２２】
硝酸セリウム(IV)アンモニウムの水溶液をＴ1以下（Ｔ1−１０℃）以上とするには、例えば硝酸セリウム(IV)アンモニウムを完全に溶解させた状態から、徐々に冷却すればよい。Ｔ1以下（Ｔ1−１０℃）以上とすることによって、硝酸セリウム(IV)アンモニウムの結晶が析出してもよく、硝酸セリウム(IV)アンモニウムの水溶液は飽和状態または過飽和状態となる。
【００２３】
種晶は、硝酸セリウム(IV)アンモニウムの結晶を用いることが好ましく、硝酸セリウム(IV)アンモニウムの水溶液中１００ｇあたり通常０．００５ｇ以上、好ましくは０．０１ｇ以上程度、通常０．５ｇ以下、好ましくは０．１ｇ以下程度である。
【００２４】
硝酸セリウム(IV)アンモニウムの水溶液は、飽和状態または過飽和状態であるので、種晶は該水溶液には溶解することなく、固体のまま水溶液中に存在する。また、硝酸セリウム(IV)アンモニウムの水溶液に種晶を加えた後、冷却を開始する前に、結晶が析出してもよい。
【００２５】
種晶を加えた後、硝酸セリウム(IV)アンモニウムの水溶液を３０℃以下に冷却して、硝酸セリウム(IV)アンモニウムの結晶を析出させる。冷却は、平均冷却速度２５℃／時間以下、好ましくは１５℃／時間以下で３０℃以下まで行なう。平均冷却速度が２５℃／時間を越えると、粒子径の小さい硝酸セリウム(IV)アンモニウムの結晶が多く生成する傾向にある。また平均冷却速度の下限は特に限定されないが、あまりにも小さいと冷却に長時間を要するので、通常は５℃／時間以上である。
【００２６】
種晶を加えた後の冷却は、平均冷却速度が上記範囲となるように冷却すればよく、例えば種晶を加えた後、一定の冷却速度で３０℃以下まで冷却してもよい。また、種晶を加えた後、５０℃以上９０℃以下で±５℃の温度範囲に３０分以上保持し、次いで３０℃以下に冷却することが好ましい。ここで、種晶を加えた後、±５℃の温度範囲に維持する時間は３０分程度であり、その温度は５０℃以上９０℃以下の範囲から適宜選択される。
【００２７】
かくして３０℃以下に冷却することによって得られる硝酸セリウム(IV)アンモニウムの結晶はその粒子径が大きいものが多く、粒子径の小さい結晶は少ない。
【００２８】
析出した硝酸セリウム(IV)アンモニウムの結晶は、例えば冷却後の混合物を濾過する方法によって、容易に取り出すことができる。濾過は、３０℃以下に冷却した後、直ちに行なってもよいが、３０℃以下で±５℃の温度範囲に０．５時間以上保温したのちに行なうことが好ましい。濾過は、例えばフィルターによる濾過であってもよいし、遠心分離による濾過であってもよい。
【００２９】
濾過後、得られた結晶を、例えば硝酸水溶液などで洗浄してもよい。洗浄に用いる硝酸水溶液としては通常、該水溶液１００ｇあたり硝酸を３０ｇ以上含有するものが用いられる。洗浄後、乾燥してもよい。乾燥するには、例えば通風乾燥、減圧乾燥などの通常の方法で乾燥すればよく、乾燥温度は、通常０℃以上１５０℃以下の温度範囲から適宜選択される。
【００３０】
濾過後、得られた濾液は、硝酸、硝酸アンモニウム、硝酸セリウム(IV)アンモニウムを含んでいるが、かかる濾液は、硝酸水溶液の濃度の調整に用いることができ、硝酸アンモニウムとして硝酸アンモニウム水溶液を用いる場合には、該硝酸アンモニウム水溶液の濃度の調整に用いることもできる。
【００３１】
【発明の効果】
本発明の製造方法により得られる硝酸セリウム(IV)アンモニウムは、粒子径の小さい結晶が少なく、ほとんどが粒子径の大きな結晶であるので、取り扱いが比較的容易である。
【００３２】
【実施例】
以下、実施例により本発明をより詳細に説明するが、本発明は、かかる実施例によって限定されるものではない。
【００３３】
なお、各実施例、参考例および比較例で得た硝酸セリウム(IV)アンモニウムの水溶液の飽和温度（Ｔ1）、硝酸セリウム(IV)アンモニウムの結晶の粒子径分布は、以下の方法で求めた。
（１）硝酸セリウム(IV)アンモニウムの水溶液の飽和温度（Ｔ1）
各実施例、参考例および比較例と同様に操作して得た水溶液（透明で懸濁は認められなかった）を一定温度（Ｔ0）に維持し、これに該水溶液１００ｇあたり硝酸セリウム(IV)アンモニウムの結晶（粒子径は１００μｍ〜１０００μｍ）０．０２５ｇを加えたときに、該結晶が溶解しなかった温度（Ｔ0）の最大値を飽和温度（Ｔ1）とした。
（２）硝酸セリウム〔IV〕アンモニウムの結晶の粒子径分布
目開き７５μｍ、１０６μｍ、１５０μｍ、２１２μｍ、３００μｍ、５００μｍ、７１０μｍの篩を用いて、結晶の全量に占める粒子径７５μｍ以下の粒子の質量分率（％）、粒子径１０６μｍ以下の粒子の質量分率（％）、粒子径１５０μｍ以下の粒子の質量分率（％）、粒子径２１２μｍ以下の粒子の質量分率（％）、粒子径３００μｍ以下の粒子の質量分率（％）、粒子径５００μｍ以下の粒子の質量分率（％）、粒子径７１０μｍ以下の粒子の質量分率（％）をそれぞれ求めた。
【００３４】
実施例１
９８％硝酸（１００ｇ中に硝酸を９８ｇ含有する）およびイオン交換水を混合した後、窒素ガスをバブリングさせて７５％硝酸水溶液〔１００ｇ中に硝酸（HNO3）を７５ｇ含有し、亜硝酸を０．０７ｇ含有する〕を調整し、この７５％硝酸２３８．８ｇにイオン交換水１３．９ｇを加えたのち、酸化セリウム(IV)水和物（結晶水以外に質量分率で２２．９％の水を含み、不純物は０．５％以下）５５．２ｇを加え、攪拌しながら１００℃まで昇温して、攪拌しながら同温度で１時間保温して酸化セリウム(IV)水和物を完全に溶解させた。その後、室温まで冷却し、目開き０．２μｍのメンブランフィルターで濾過して濾液を得た。この濾液を９８℃に昇温し、９５℃〜９８℃の温度範囲を維持しながら硝酸アンモニウム水溶液〔硝酸アンモニウム（純度９９．８％）５９．５ｇをイオン交換水４３．６ｇに溶解した水溶液〕を滴下して加えて硝酸セリウム(IV)アンモニウムの水溶液を得た。この水溶液の飽和温度（Ｔ1）は９５℃であった。
【００３５】
その後、上記で得た水溶液を９０℃に冷却したところ、この水溶液は透明であり、懸濁していなかった。冷却後の硝酸セリウム(IV)アンモニウムの水溶液を９０℃に維持したまま、種晶（硝酸セリウム(IV)アンモニウムの結晶、粒子径は１００μｍ〜１０００μｍ）０．１ｇを加えたところ、析出物は観察できなかった。その後、直ちに１時間かけて８０℃まで冷却し、同温度を１時間保った後、６時間かけて２０℃まで冷却した。ここで９０℃から２０℃までの冷却に要した時間は合計８時間であり、平均冷却速度は８．７５℃／時間である。
【００３６】
その後、２０℃で１時間保温し、フィルターを用いて濾過して、硝酸セリウム(IV)アンモニウムの結晶（１３１．６ｇ）を得た。
この硝酸セリウム(IV)アンモニウムの結晶２ｇを１１０℃で加熱し、３０秒間の質量の減少量が３ｍｇとなるまで乾燥して乾燥減量を求めたところ、３．３％であり、乾燥後の純度は９９．１％であった。この結晶の粒子径分布の評価結果を表１に示す。
【００３７】
実施例２
実施例１と同様に操作して調整した７５％硝酸水溶液〔１００ｇ中に硝酸を７５ｇ含有し、亜硝酸は含まない。〕１８２．３ｇにイオン交換水７０．７ｇを加えたのち、酸化セリウム(IV)水和物（結晶水以外に質量分率で２３．１％の水を含み、不純物は０．５％以下）５５．３ｇを加え、攪拌しながら１００℃まで昇温して、攪拌しながら同温度で１時間保温して酸化セリウム(IV)水和物を完全に溶解させた。その後、室温まで冷却し、目開き０．２μｍのメンブランフィルターで濾過して濾液を得た。この濾液を９８℃に昇温し、９５℃〜９８℃の温度範囲を維持しながら硝酸アンモニウム水溶液〔硝酸アンモニウム（純度９９．８％）４９．６ｇをイオン交換水３３．０ｇに溶解した水溶液〕を滴下して加えて硝酸セリウムアンモニウムの水溶液を得た。この水溶液の飽和温度（Ｔ1）は９５℃であった。
【００３８】
その後、上記で得た硝酸セリウム(IV)アンモニウムの水溶液を９０℃に冷却したところ、透明で懸濁していなかった。冷却後の硝酸セリウム(IV)アンモニウムの水溶液を９０℃に維持したまま、種晶（硝酸セリウム(IV)アンモニウムの結晶、粒子径は１００μｍ〜１０００μｍ）０．１ｇを加えところ、析出物は観察できなかった。その後、直ちに１時間かけて８０℃まで冷却し、同温度を１時間保った後、６時間かけて２０℃まで冷却した。ここで９０℃から２０℃までの冷却に要した時間は合計８時間であり、平均冷却速度は８．７５℃／時間である。
【００３９】
その後、２０℃で１時間保温し、フィルターを用いて濾過して、硝酸セリウム(IV)アンモニウムの結晶（１２９．５ｇ）を得た。実施例１と同様にして求めた硝酸セリウム(IV)アンモニウムの結晶の乾燥減量は２．８％であり、乾燥後の純度は９９．０％であった。この結晶の粒子径分布の評価結果を表１に示す。
【００４０】
実施例３
実施例１と同様に操作して調整した７５％硝酸水溶液〔１００ｇ中に硝酸を７５ｇ含有し、亜硝酸を含まない。〕２３８．８ｇにイオン交換水１３．０ｇを加えたのち、酸化セリウム(IV)水和物（結晶水以外に質量分率で２４．１％の水を含み、不純物は０．５％以下）５６．１ｇを加え、攪拌しながら１００℃まで昇温して、攪拌しながら同温度で１時間保温して酸化セリウム(IV)水和物を完全に溶解させた。その後、室温まで冷却し、目開き０．２μｍのメンブランフィルターで濾過して濾液を得た。この濾液を９８℃に昇温し、９５℃〜９８℃の温度範囲を維持しながら硝酸アンモニウム水溶液〔硝酸アンモニウム（純度９９．８％）４３．６ｇをイオン交換水４３．６ｇに溶解した水溶液〕を滴下して加えて硝酸セリウムアンモニウムの水溶液を得た。この水溶液の飽和温度（Ｔ1）は９５℃であった。
【００４１】
その後、上記で得た硝酸セリウム(IV)アンモニウムの水溶液を９０℃に冷却したところ、透明で懸濁していなかった。冷却後の硝酸セリウム(IV)アンモニウムの水溶液を９０℃に維持したまま、種晶（硝酸セリウム(IV)アンモニウムの結晶、粒子径は１００μｍ〜１０００μｍ）０．１ｇを加えところ、析出物は観察できなかった。その後、直ちに３時間かけて６０℃まで冷却し、同温度を１時間保った後、４時間かけて２０℃まで冷却した。ここで９０℃から２０℃までの冷却に要した時間は合計８時間であり、平均冷却速度は８．７５℃／時間である。
【００４２】
その後、２０℃で１時間保温し、フィルターを用いて濾過して、硝酸セリウム(IV)アンモニウムの結晶（１１７．０ｇ）を得た。実施例１と同様にして求めた硝酸セリウム(IV)アンモニウムの結晶の乾燥減量は１．８％であり、乾燥後の純度は９９．２％であった。この結晶の粒子径分布の評価結果を表１に示す。
【００４３】
参考例１
実施例１と同様に操作して調整した７５％硝酸水溶液〔１００ｇ中に硝酸を７５ｇ含有し、亜硝酸を０．１９ｇ含有する。〕２３８．１ｇにイオン交換水１３．７ｇを加えたのち、酸化セリウム(IV)水和物（結晶水以外に質量分率で２３．２％の水を含み、不純物は０．５％以下）５４．８ｇを加え、攪拌しながら１００℃まで昇温して、攪拌しながら同温度で１時間保温して酸化セリウム(IV)水和物を完全に溶解させた。その後、室温まで冷却し、目開き０．２μｍのメンブランフィルターで濾過して濾液を得た。この濾液を９８℃に昇温し、９５℃〜９８℃の温度範囲を維持しながら硝酸アンモニウム水溶液〔硝酸アンモニウム（純度９９．８％）４３．１ｇをイオン交換水３３．０ｇに溶解した水溶液〕を滴下して加えて硝酸セリウムアンモニウムの水溶液を得た。この水溶液の飽和温度（Ｔ1）は９５℃であった。
【００４４】
その後、上記で得た硝酸セリウム(IV)アンモニウムの水溶液を９０℃に冷却したところ、透明で懸濁していなかった。冷却後の硝酸セリウム(IV)アンモニウムの水溶液を９０℃に維持したまま、種晶（硝酸セリウム(IV)アンモニウムの結晶、粒子径は１００μｍ〜１０００μｍ）０．１ｇを加えたところ、析出物は観察できなかった。その後、直ちに７時間かけて同じ冷却速度で２０℃まで冷却した。ここで９０℃から２０℃までの冷却に要した時間は７時間であり、平均冷却速度は１０℃／時間である。
【００４５】
その後、直ちにフィルターを用いて濾過して、硝酸セリウム(IV)アンモニウムの結晶（１１４．０ｇ）を得た。実施例１と同様にして求めた硝酸セリウム(IV)アンモニウムの結晶の乾燥減量は２．３％であり、乾燥後の純度は９９．５％であった。この結晶の粒子径分布の評価結果を表１に示す。
【００４６】
実施例５
実施例１と同様に操作して調整した７５％硝酸水溶液〔１００ｇ中に硝酸を７５ｇ含有し、亜硝酸を０．６２ｇ含有する〕２３８．８ｇにイオン交換水１３．９ｇを加えて硝酸水溶液を得た。この硝酸水溶液に含まれる亜硝酸は０．９ｇであった。この硝酸水溶液に酸化セリウム(IV)水和物（結晶水以外に質量分率で２２．９％の水を含み、不純物は０．５％以下）５５．２ｇを加え、攪拌しながら１００℃まで昇温して、攪拌しながら同温度で１時間保温して酸化セリウム(IV)水和物を完全に溶解させた。その後、室温まで冷却し、目開き０．２μｍのメンブランフィルターで濾過して濾液を得た。この濾液を９８℃に昇温し、９５℃〜９８℃の温度範囲を維持しながら硝酸アンモニウム水溶液〔硝酸アンモニウム（純度９９．８％）４３．６ｇをイオン交換水４３．６ｇに溶解した水溶液〕を滴下して加えて硝酸セリウムアンモニウムの水溶液を得た。この水溶液の飽和温度（Ｔ1）は、９５℃であった。
【００４７】
その後、上記で得た硝酸セリウム(IV)アンモニウムの水溶液を９０℃に冷却したところ、透明で懸濁していなかった。冷却後の硝酸セリウム(IV)アンモニウムの水溶液を９０℃に維持したまま、種晶（硝酸セリウム(IV)アンモニウムの結晶、粒子径は１００μｍ〜１０００μｍ）０．１ｇを加えたところ、析出物は観察できなかった。その後、直ちに１時間かけて８０℃まで冷却し、同温度を１時間保った後、６時間かけて２０℃まで冷却した。ここで９０℃から２０℃までの冷却に要した時間は合計８時間であり、平均冷却速度は８．７５℃／時間である。
【００４８】
その後、２０℃で１時間保温し、フィルターを用いて濾過して、硝酸セリウム(IV)アンモニウムの結晶（１０６．５ｇ）を得た。実施例１と同様にして求めた硝酸セリウム(IV)アンモニウムの結晶の乾燥減量は２．４％であり、乾燥後の純度は９９．７％であった。この結晶の粒子径分布の評価結果を表１に示す。
【００４９】
参考例２
実施例１と同様に操作して調整した７５％硝酸水溶液〔１００ｇ中硝酸を７５ｇ含有し、亜硝酸を０．２３ｇ含有する。〕２３８．８ｇにイオン交換水１４．９ｇを加えたのち、酸化セリウム(IV)水和物（結晶水以外に質量分率で２１．５％の水を含み、不純物は０．５％以下）５４．２ｇを加え、攪拌しながら１００℃まで昇温して、攪拌しながら同温度で１時間保温して酸化セリウム(IV)水和物を完全に溶解させた。その後、室温まで冷却し、目開き０．２μｍのメンブランフィルターで濾過して濾液を得た。この濾液を９８℃に昇温し、９５℃〜９８℃の温度範囲を維持しながら硝酸アンモニウム水溶液〔硝酸アンモニウム（純度９９．８％）４９．１ｇをイオン交換水３２．６ｇに溶解した水溶液〕を滴下して加えて硝酸セリウムアンモニウムの水溶液を得た。この水溶液の飽和温度（Ｔ1）は、９５℃であった。
【００５０】
その後、上記で得た硝酸セリウム(IV)アンモニウムの水溶液を９０℃に冷却したところ、透明で懸濁していなかった。冷却後の硝酸セリウム(IV)アンモニウムの水溶液を９０℃に維持したまま、種晶（硝酸セリウム(IV)アンモニウムの結晶、粒子径は１００μｍ〜１０００μｍ）０．１ｇを加えところ、析出物は観察できなかった。その後、直ちに３．５時間かけて２０℃まで冷却した。ここで９０℃から２０℃までの冷却に要した時間は３．５時間であり、平均冷却速度は２０℃／時間である。
【００５１】
その後、２０℃で１時間保温し、フィルターを用いて濾過して、硝酸セリウム(IV)アンモニウムの結晶（１２０．６ｇ）を得た。実施例１と同様にして求めた硝酸セリウム(IV)アンモニウムの結晶の乾燥減量は３．２％であり、乾燥後の純度は９９．５％であった。この結晶の粒子径分布の評価結果を表１に示す。
【００５２】
実施例７
実施例１と同様に操作して調整した７５％硝酸水溶液〔１００ｇ中硝酸を７５ｇ含有し、亜硝酸を０．２８ｇ含有する。〕２３８．８ｇにイオン交換水１４．９ｇを加えたのち、酸化セリウム(IV)水和物（結晶水以外に質量分率で２１．５％の水を含み、不純物は０．５％以下）５４．２ｇを加え、攪拌しながら１００℃まで昇温して、攪拌しながら同温度で１時間保温して酸化セリウム(IV)水和物を完全に溶解させた。その後、室温まで冷却し、目開き０．２μｍのメンブランフィルターで濾過して濾液を得た。この濾液を９８℃に昇温し、９５℃〜９８℃の温度範囲を維持しながら硝酸アンモニウム水溶液〔硝酸アンモニウム（純度９９．８％）４８．９ｇをイオン交換水３２．６ｇに溶解した水溶液〕を滴下して加えて硝酸セリウムアンモニウムの水溶液を得た。この水溶液の飽和温度（Ｔ1）は９５℃であった。
【００５３】
その後、上記で得た硝酸セリウム(IV)アンモニウムの水溶液を９０℃に冷却したところ、透明で懸濁していなかった。冷却後の硝酸セリウム(IV)アンモニウムの水溶液を９０℃に維持したまま、種晶（硝酸セリウム(IV)アンモニウムの結晶、粒子径は１００μｍ〜１０００μｍ）０．１ｇを加えところ、析出物は観察できなかった。その後、直ちに０．５時間かけて８０℃まで冷却し、同温度を１時間保った後、３時間かけて２０℃まで冷却した。ここで９０℃から２０℃までの冷却に要した時間は合計３．５時間であり、平均冷却速度は２０℃／時間である。
【００５４】
その後、２０℃で１時間保温し、フィルターを用いて濾過して、硝酸セリウム(IV)アンモニウムの結晶（１２０．６ｇ）を得た。実施例１と同様にして求めた硝酸セリウム(IV)アンモニウムの結晶の乾燥減量は３．９％であり、乾燥後の純度は９８．９％であった。この結晶の粒子径分布の評価結果を表１に示す。
【００５５】
比較例１
実施例１と同様に操作して調整した９８％硝酸水溶液〔１００ｇ中硝酸を９８ｇ含有し、亜硝酸を０．２５ｇ含有する。〕１６０．３ｇにイオン交換水５４．１ｇを加えたのち、酸化セリウム(IV)水和物（結晶水以外に質量分率で２３．４％の水を含み、不純物は０．５％以下）６５．８ｇを加え、攪拌しながら１００℃まで昇温して、攪拌しながら同温度で１時間保温して酸化セリウム(IV)水和物を完全に溶解させた。その後、室温まで冷却し、目開き０．２μｍのメンブランフィルターで濾過して濾液を得た。この濾液を７５℃に昇温し、同温度を維持しながら硝酸アンモニウム（純度９９．８％）６２．８ｇの粉末を１時間かけて加えて、硝酸セリウム(IV)アンモニウムの水溶液を得た。この水溶液は、硝酸セリウム(IV)アンモニウムの結晶が析出し、懸濁していた。この硝酸セリウム(IV)アンモニウムの水溶液の飽和温度（Ｔ1）は９５℃であった。
【００５６】
上記で得た硝酸セリウム(IV)アンモニウムの水溶液を７５℃に維持したまま、種晶（硝酸セリウム(IV)アンモニウムの結晶、粒子径は１００μｍ〜１０００μｍ）０．１ｇを加え、直ちに５．５時間かけて同じ冷却速度で２０℃まで冷却した。ここで７５℃から２０℃までの冷却に要した時間は５．５時間であり、平均冷却速度は１０℃／時間である。
【００５７】
その後、直ちにフィルターを用いて濾過して、硝酸セリウム(IV)アンモニウムの結晶（１６９．２ｇ）を得た。実施例１と同様にして求めた硝酸セリウム(IV)アンモニウムの結晶の乾燥減量は６．７％であり、乾燥後の純度は９５．６％であった。この結晶の粒子径分布の評価結果を表１に示す。
【００５８】
比較例２
実施例１と同様に操作して調整した７５％硝酸水溶液〔１００ｇ中硝酸を７５ｇ含有し、亜硝酸を０．２０ｇ含有する。〕２３８．８ｇにイオン交換水１４．９ｇを加えたのち、酸化セリウム(IV)水和物（結晶水以外に質量分率で２１．５の水を含み、不純物は０．５％以下）５４．２ｇを加え、攪拌しながら１００℃まで昇温して、攪拌しながら同温度で１時間保温して酸化セリウム(IV)水和物を完全に溶解させた。その後、室温まで冷却し、目開き０．２μｍのメンブランフィルターで濾過して濾液を得た。この濾液を８０℃に昇温し、同温度を維持しながら硝酸アンモニウム水溶液〔硝酸アンモニウム（純度９９．８％）４９．６ｇをイオン交換水３３．０ｇに溶解した水溶液〕を３０分かけて滴下して加えて、硝酸セリウム(IV)アンモニウムの水溶液を得た。この水溶液は、懸濁していなかった。この硝酸セリウム(IV)アンモニウムの水溶液の飽和温度（Ｔ1）を実施例１と同様にして評価したところ、９５℃であった。
【００５９】
上記で得た硝酸セリウム(IV)アンモニウムの水溶液を８０℃に維持したまま、種晶（硝酸セリウム(IV)アンモニウムの結晶、粒子径は１００μｍ〜１０００μｍ）０．１ｇを加えたところ、硝酸セリウム(IV)アンモニウムの結晶が析出して、懸濁した。その後、直ちに６時間かけて同じ冷却速度で２０℃まで冷却した。ここで８０℃から２０℃までの冷却に要した時間は８時間であり、平均冷却速度は１０℃／時間である。
【００６０】
その後、直ちにフィルターを用いて濾過して、硝酸セリウム(IV)アンモニウムの結晶（１２４．９ｇ）を得た。実施例１と同様にして硝酸セリウム(IV)アンモニウムの結晶の乾燥減量は５．２％であり、乾燥後の純度は９９．２％であった。この結晶の粒子径分布の評価結果を表１に示す。
【００６１】
比較例３
種晶を加えたのち、直ちに冷却を開始して、２０℃まで２時間をかけて一定の速度で冷却する以外は、実施例１と同様に操作して得られる硝酸セリウム(IV)アンモニウムの結晶は、粒子径の小さい結晶の割合が小さい。
【００６２】
【表１】
0004742422.tif 000003
単位は（％）